(57)【要約】【課題】被写体側の人達および撮影者と被写体側の人達以外の第３者が撮影位置を確認することができるデジタルカメラを提供すること。【解決手段】投射スイッチ１０６によって投射モードが選択され、レリーズ釦１０１が半押しされたときにフレーミング枠２００ａが被写体に向けて投射される。投射されたフレーミング枠２００ａを確認することで、被写体である人物が自己の撮影位置を確認することができる。また壁面２００に写ったフレーミング枠は誰にでも確認することができるので、撮影者でも被写体でもない第３者が被写体である人物に対して撮影位置に入っていないので左に寄れなどの指示を与えることができる。【選択図】　　図５
2004125867.tif 000002
【特許請求の範囲】
【請求項１】
撮影光学系で被写体像を捉えるカメラにおいて、
被写体を視認するためのファインダと、
前記ファインダで視認された被写体の撮影画角を表わすフレームミング枠を被写体に向けて投射する投射部とを備えたことを特徴とするカメラ。
【請求項２】
前記投射部は、フレーミング枠を光ビームで描くレーザポインタからなることを特徴とする請求項１記載のカメラ。
【請求項３】
前記レーザポインタは、光ビームを照射するレーザ光源と、該レーザ光源から発せられた光ビームの進路を変更する第１のミラーと、該第１のミラーで進路を変更された光ビームの進路をさらに変更する第２のミラーと、該第２のミラーで進路を変更されたビームの進路を被写体方向に向ける第３のミラーと、前記第１のミラーを支持する屈曲自在な第１のバイモルフと、前記第２のミラーを支持する屈曲自在な第２のバイモルフと、前記第１、第２のバイモルフに駆動信号を印加する駆動手段とを備え、前記第１のバイモルフ、前記第２のバイモルフに前記駆動手段から駆動信号を与えて、前記レーザ光源から発せられた光ビームを順次、フレーミング枠の縦枠、横枠として第３のミラーを経由させて被写体に向けて投射するものであることを特徴とする請求項２記載のカメラ。
【発明の詳細な説明】
【０００１】
【発明の属する技術分野】
本発明は、撮影光学系で被写体像を捉えるカメラにに関する。
【０００２】
【従来の技術】
カメラの中には被写体側の人が撮影画角内にいるかどうかを確認することができる機能を備えたものがある（たとえば特許文献１）。このような機能はポートレートの撮影を行なうときなどには役立つが、二人三人と被写体の数が増えるにつれてその効果が半減される。二人三人と被写体の数が増えていくと、撮影画角内にいるかどうかを一々確認して頭を動かした後で撮影が行なわれることもあり、そういったときには撮影画角内にその人の顔が入っていない写真が撮影されてしまうことも間々在る。さらに一般のカメラで記念撮影を行なうときにはファインダを覗いてフレーミングを決めている撮影者だけにフレーミングが分かり、撮影者以外の者にはどのような撮影が行なわれているかが全くわからない。
【０００３】
【特許文献１】
特開平８−２１１４６１号公報
【０００４】
【発明が解決しようとする課題】
上記のごとく、被写体側の人に撮影される位置を確認させることができるカメラがあったとしても、そのカメラは撮影者と被写体以外の人にまで被写体がどのように撮影されるかを確認させるようなものにはなっていない。また、被写体が多人数になると、多人数の人達それぞれが撮影者に促されてフレーミング内に動いて撮影が行なわれることが多い。
【０００５】
本発明は、被写体側の人達および撮影者と被写体側の人達以外の第３者が撮影位置を確認することができるデジタルカメラを提供することを目的とする。
【０００６】
【課題を解決するための手段】
上記目的を達成する本発明のカメラは、撮影光学系で被写体像を捉えるカメラにおいて、
被写体を視認するためのファインダと、
前記ファインダで視認された被写体の撮影画角を表わすフレーミング枠を被写体に向けて投射する投射部とを備えたことを特徴とする。
【０００７】
上記本発明のカメラによればフレーミング枠がカメラ側から被写体に向けて投射され、撮影が行なわれているときにその投射されたフレーミング枠で被写体側の人が自己の撮影位置を認識することができる。
【０００８】
ここで、前記投射部は、フレーミング枠を光ビームで描くことが可能なレーザポインタからなることが好ましい。
【０００９】
光ビームでフレーミング枠が描かれると、多人数で撮影が行なわれたときにもその端にいる人が光ビームで描かれているフレーミング枠に手をかざすことにより、その人が撮影画角内に入っているかどうかを確認することができる。また、このフレーミング枠をたとえば壁面などに投射すると、フレーミング枠が壁面に映し出されてその壁面に映し出された枠を確認することにより第３者であってもフレーミングを確認することができる。
【００１０】
ここで上記レーザポインタは、光ビームを照射するレーザ光源と、該レーザ光源から発せられた光ビームの進路を変更する第１のミラーと、その第１のミラーで進路を変更された光ビームの進路をさらに変更する第２のミラーと、その第２のミラーで進路を変更されたビームの進路を被写体方向に向ける第３のミラーと、上記第１のミラーを支持する屈曲自在な第１のバイモルフと、上記第２のミラーを支持する屈曲自在な第２のバイモルフと、それら第１、第２のバイモルフに駆動信号を印加する駆動手段とを備え、第１のバイモルフ、第２のバイモルフに上記駆動手段から駆動信号を与えて、上記レーザ光源から発せられた光ビームを順次、フレーミング枠の縦枠、横枠として第３のミラーを経由させて被写体に向けて投射するものであることが好ましい態様である。
【００１１】
このように低電力で駆動される屈曲自在なバイモルフとレーザ光源を使用すると、カメラの消費電力を抑えることができるとともに上記投射部の小型化を図ることができ、コンパクトなカメラボディの中に投射部をすっぽりと収めることができる。
【００１２】
【発明の実施の形態】
以下、本発明の実施形態について説明する。
【００１３】
図１は本発明の実施形態を示すカメラ１００の外観図である。
【００１４】
図１に示すようにカメラボディの上部にはレリーズ釦１０１と電源スイッチ１０２が設けられており、電源スイッチ１０２が投入されると、カメラとしての動作が可能になる。この電源スイッチ１０２が投入されてレリーズ釦１０１が押されたときに撮影が行なわれる。
【００１５】
カメラボディの中央部には撮影光学系が内蔵されたレンズ鏡胴１０３が設けられており、そのレンズ鏡胴１０３上方にはファインダ１０４が備えられている。そのファインダ１０４の横にはカメラボディ１００内部に配備された投射部から発せられた光ビームを被写体に向けて投射することができるような投射窓１０５が設けられている。この投射窓１０５から投射されたフレーミング枠が投射されると、被写体側にいる人にはファインダ１０２から視認される撮影画角を表わすフレーミング枠が視認される。このフレーミング枠の投射を行なうか、行なわないかは、投射スイッチ１０６によって切り替えられ、この投射スイッチ１０６が投射側に倒されると、カメラ内部では投射モードと判定されてフレーミング枠の投射が行なわれる。
【００１６】
図１（ｂ）は図１（ａ）の投射窓１０５から被写体に向けてフレーミング枠を投射するための投射部の構成を示す図である。
【００１７】
図１（ｂ）に示すようにこのカメラが備える投射部はレーザポインタ１１０で構成されている。このレーザポインタ１１０は、光ビームを発するレーザ光源１１１と、そのレーザ光源１１１から発せられた光ビームの進路を変更する第１のミラー１１２Ｘと、その第１のミラー１１２Ｘで進路を変更された光ビームの進路をさらに変更する第２のミラー１１２Ｙと、その第２のミラー１１２Ｙで進路を変更された光ビームを被写体方向に向けるための第３のミラー１１３とを備えており、レーザ光源１１１から発せられた光ビームがそれらのミラーによって進路を変更されて投射窓１０５を透して被写体に向けて投射される。
【００１８】
また、このレーザポインタ１１０には、光ビームの経路を定めるためのガイド１１４が設けられており、そのガイド１１４に向けてレーザ光源１１１から発せられた光ビームがそのガイドによって第１のミラー１１２Ｘまで導かれる。このガイド１１４は内部に光学系を備えており、この光学系によって入射した光ビームのスポット径がやや拡げられて第１のミラー１１２Ｘまで導かれる。ここでは光ビームが投射されて描かれるフレーミング枠が被写体に視認されやすいようにするため、光ビームのスポット径の調整が行なわれている。
【００１９】
このガイド１１４の出射部に設けられている第１のミラー１１２Ｘによって光ビームの進路が第２のミラー１１２Ｙ側に変更され、さらに第２のミラー１１２Ｙによって第３のミラー１１３側に光ビームの進路が変更されている。そして第３のミラー１１３から投射窓１０５を透して被写体に向けて光ビームが投射される。このときに第１のミラー１１２Ｘと第２のミラー１１２Ｙとを双方交互にアクチュエータにより駆動してファインダ１０４で視認される撮影画角を表わすフレーミング枠を得る様にしている。
【００２０】
ここでは第１のミラー１１２Ｘと第２のミラー１１２Ｙの位置を変位させるためのアクチュエータとしてバイモルフという圧電素子が用いられている。このバイモルフというのは２枚の圧電素子を張り合わせたものであり、そのバイモルフの一端を固定して電圧を加えると他端が屈曲してその位置が変位するものである。このバイモルフの変位に応じて第１のミラー１１２Ｘ、第２のミラー１１２Ｙの位置が変位することにより、それらのミラーによって光ビームが偏向されてフレーミング枠が描かれる。このバイモルフを駆動するための駆動手段を含めてレーザーポインタが構成されるが、この駆動手段については後述する。
【００２１】
第１のミラー１１２Ｘは上記ガイド１１４の一側面にバイモルフ１１５Ｘによって取り付けられており、第２のミラー１１２Ｙはその一側面とは略直交する側の側面にやはりバイモルフ１１５Ｙによって取り付けられている。したがって、一方のバイモルフ１１５Ｘあるいは１１５Ｙを後述する駆動手段によって屈曲させて第１のミラー１１２Ｘが取り付けられている端部を変位させるとフレーミング枠の横枠が描かれて、他方のバイモルフ１１５Ｙを駆動手段によって屈曲させて第２のミラー１１２Ｙが取り付けられている端部を変位させるとフレーミング枠の縦枠が描かれるようになる。このようにそれぞれのバイモルフをＸ軸、Ｙ軸に沿って変位させることになるので、以降の説明においては一方のバイモルフ１１５Ｘおよびそのバイモルフ１１５Ｘに関連のある部分にはＸあるいはＸ方向という文字を添えて記述し、同様に他方のバイモルフ１１５Ｙおよびそのバイモルフ１１５Ｙに関連のある部分にはＹあるいはＹ方向という文字を添えて記述する。
【００２２】
図２は図１のカメラの内部構成を示す図である。
【００２３】
このカメラではレンズ鏡胴１０３に在るズーム操作環あるいはカメラボディに配設されたズームスイッチなどが操作されるとレンズ鏡胴１０３が光軸方向に前後して光学ズームが行なわれて、レリーズ操作が行われるとレンズ鏡胴内あるいはカメラボディ内に配備されたシャッターが開閉するようになっている。このカメラにはレリーズ釦の操作態様として半押し、全押しの二つの操作態様が配備されており、これらの二つの操作態様がＣＰＵ１２０で異なる態様として認識されてその操作態様に応じた処理が行なわれるようになっている。さらに撮影者が被写体になる場合に使用されるセルフタイマーも配備されている。
【００２４】
上述のズーム操作環やズームスイッチが操作され光学ズームが行なわれると、そのズーム倍率に合わせてファインダ１０４で視認される撮影画角も変わるので、この撮影画角に合わせてフレーミング枠のサイズを検出してフレーミング枠を投射することが行なわれる。図２に示すように被写体の撮影レンズ位置検出部１２１でズーム倍率に応じた撮影レンズの位置が検出され、この撮影レンズ位置検出部１２１で検出された撮影レンズの位置を表わす信号がズーム倍率検出部１２２に供給されてズーム倍率が検出される。さらにこの検出されたズーム倍率を表わす信号がフレームサイズ算出部１２３に供給されてフレームサイズが算出され、このフレームサイズ算出部１２３で算出されたフレームサイズに応じてレーザポインタ１１０側に、Ｘ方向バイモルフ１１５ＸおよびＹ方向バイモルフ１１５Ｙをフレームサイズに応じて変位させるための最大変位を与える駆動電圧のピーク電圧値が示される。そのピーク電圧値が示されると、レーザポインタ１１０内の後述する駆動手段によって、たとえばマイナスのピーク電圧値からプラスのピーク電圧値まで除々に上昇するような電圧波形がそれぞれのバイモルフに印加される。そうするとＸ方向バイモルフ１１５Ｘをマイナスのピーク値に対応する位置からプラスのピーク値に対応する位置まで変位させ、同様にＹ方向バイモルフ１１５Ｙもマイナスのピーク値に対応する位置からプラスのピーク値に対応する位置まで変位させることができるので、レーザ光源から発せられるビーム光を偏向させることができる。逆に、プラスのピーク電圧からマイナスのピーク電圧まで除々に下降するような駆動電圧がそれぞれのバイモルフに印加されると、Ｘ方向バイモルフがプラスのピーク電圧値に対応する位置からマイナスのピーク電圧値に対応する位置まで、Ｙ方向バイモルフがプラスのピーク電圧値に対応する位置からマイナスのピーク電圧値に対応する位置まで変位させることができるので、これらをうまく繋ぎ合わせると光ビームによって縦枠と横枠とからなるフレーミング枠を描くことができる。
【００２５】
この駆動手段に駆動指示を与えるために、ここではレリーズ釦の半押し操作が用いられている。図２に示すレリーズ位置検出部１２４によってレリーズ釦１０１が半押し、全押しいずれの状態であるかが検出されているので、このレリーズ釦１０１の位置が半押し状態であることが検出されたら上記駆動手段１１０ａに対してフレーミング枠を投射するための駆動を行なえという指示が出されるようになっている。その指示がレーザポインタ側に出されると、レーザポインタの駆動手段によってフレームサイズ算出部１２３から供給されたフレームサイズを表わす信号に応じたフレーミング枠を被写体に向けて投射するようにＸ方向バイモルフ１１５Ｘ、Ｙ方向バイモルフ１１５Ｙに上記のような駆動電圧が印加される。またレリーズ釦１０１の操作が半押しから全押しに移行したら、それぞれの駆動電圧をホールドしてそれぞれのバイモルフ１１５Ｘ，１１５Ｙの駆動を停止するとともに、レーザ光源１１１の電源をオフしてフレーミング枠の投射を終了させる。
【００２６】
また、本実施形態のカメラではセルフタイマ１２５による撮影も行なうことができるので、セルフタイマ１２５が作動しているときにはセルフタイマ１２５で設定された時間後にフレーミング枠の投射を終了させるようにしている。
【００２７】
図３はレーザポインタ１１０が備えるバイモルフの駆動手段１１０ａの内部構成を示す図である。
【００２８】
図３に示すように、レーザポインタ１１０が備えるバイモルフの駆動手段１１０ａには電源部１１６とその電源部１１６から電力が供給されると偏向電圧発振を行なう偏向電圧発信部１１７とが配備されている。電源部１１６から電力が供給されると、偏向電圧発振部１１７が動作を開始して、偏向電圧発振部から出力された駆動信号が増幅部１１８Ｘ，１１８Ｙでそれぞれ増幅されてそれぞれＸ方向バイモルフ１１５Ｘと、Ｙ方向バイモルフ１１５Ｙに供給される。
【００２９】
図２に示したように、レーザポインタ１１０の駆動手段１１０ａにはフレームサイズ算出部１２３からフレームサイズに応じた電圧のピーク値を示す信号が供給されているので、それらのピーク値に応じて増幅部１１８Ｘ，１１８Ｙそれぞれでそのピーク値に応じた増幅が行なわれる。たとえばこれらの増幅部１１８Ｘ，１１８Ｙを演算増幅器で構成すると、電圧のピーク値に応じてゲインを定める抵抗値の切替を行なうようなことが行なわれる。
【００３０】
また投射スイッチ１０６が切り替えられて投射モードが起動されたときに、フレーミング枠の投射が行なわれるように投射スイッチ部１０６ａも設けられている。この投射スイッチ部１０６ａは電源からの電力をレーザ光源１１１に与えるか否かを選択するためのものであり、図１（ａ）に示した投射スイッチ１０６が投射側に切り替えられて、かつレリーズ釦１０１が半押しされたときにこの投射スイッチ部がオンしてレーザ光源に電源から電力が供給される。そうするとレーザ光源がオンしてレーザ発振が開始される。
【００３１】
このようにしてレーザ発振が開始されたとき、Ｘ方向，Ｙ方向バイモルフそれぞれを屈曲させてフレーミング枠を描かせるには、Ｘ方向バイモルフとＹ方向バイモルフとを交互に屈曲させる必要があるので、ここではまずＸ方向偏向用のバイモルフ１１２Ｘを駆動して横枠の一方を、その次にＹ方向偏向用のバイモルフ１１２Ｙを駆動して縦枠の一方を、次に横枠の他方を、最後に縦枠の他方をといった具合にＸ方向バイモルフ、次にＹ方向バイモルフを順次駆動してフレーミング枠を描かせている。このようにして縦枠、横枠を繰り返し描かせると、被写体側の人には視角作用によってフレーミング枠が投射されているように見える。
【００３２】
図５はフレーミング枠の投射処理の手順を示したフローチャートである。
【００３３】
切替スイッチ１０６が投射モード側に切り替えられたらステップＳ４０２でフレーム投射モードのプロセスが起動される。そしてステップＳ４０３で撮影レンズ位置検出部１２４で撮影レンズの位置が検出されてステップＳ４０４でファインダから視認された撮影画角を表わすフレーミング枠のサイズが決定されたら、次のステップＳ４０５でレリーズ釦１０１が半押しされたかどうかが検出される。このステップＳ４０５でレリーズ釦１０１が半押しされたと判定されたら、ステップＳ４０６でフレーミング枠が投射される。このフレーミング枠の投射は撮影が行なわれる前に行なわれる訳であるから、次のステップＳ４０７以降でレリーズ釦１０１が全押しされたか、あるいはセルフタイマが作動しているかの判定が行なわれる。またレリーズ釦１０１が半押しされて撮影を行なおうとはしたが、途中で撮影が中止されることもあるので、その状況も含めて、いずれの状態であるかがステップＳ４０７からステップＳ４０９のいずれかで判定される。
【００３４】
ステップＳ４０７ではセルフタイマが作動しているかどうかが判定される。このステップＳ４０７でＹＥＳと判定されたらＳ４１３でタイマーの動作状況が検出されて所定の時間を経てタイマ動作が終了したらステップＳ４１０へ移行してフレーム投射が中止される。
【００３５】
ステップＳ４０７でＮｏと判定されたら、レリーズ釦が半押しから戻されるか、全押しされるかが次のステップＳ４０８で判定される。
【００３６】
ステップＳ４０８でレリーズ釦１０１が半押しから戻されてＹｅｓと判定されたら、撮影が中止されたと判定されてステップＳ４１４でフレーム投射が中止される。ステップＳ４０８で半押しされてからステップＳ４０９で全押しされたと判定されたときにはステップＳ４０９でＹｅｓと判定されてステップＳ４１０でフレーム投射が中止される。さらにステップＳ４１１でレリーズ釦が開放された状態に完全に復帰したら投射プロセスを終了する。
【００３７】
図５は本実施形態のカメラ１００で自己撮影を行なった場合の例を示した図である。本実施形態のカメラ１００にはセルフタイマが配備されているので自己撮影が行なわれるときの例を示してある。たとえばセルフタイマが設定されて被写体になる撮影者が半押しを行なった後で椅子３００に座って撮影が行なわれる場合を考えると、半押しされたと同時にフレーミング枠が投射される。この半押しが行なわれた後に椅子３００に座ろうとするときに背面にある壁面２００に投射されているフレーミング枠２００ａに確認してから座ったり、椅子に座った後で投射されているフレーミング枠に手をかざして自己の撮影位置を確認することができる。セルフタイマの時間を適宜設定すれば、必ず中央に自己の位置が来るように撮影が行なわれる。またこのときには撮影者でなくても誰でもそのフレーミング枠２００ａを視認することができるので、被写体である人物に対して適切な指示を与えることができるという利点もある。そうすると、被写体である人物の位置がずれてフレーミングから外れたりすることがいままでよりも少なくなり、自己撮りにおいても多大なる効果が発揮される。また、二人三人と多人数になっても投射されたフレーミング枠によってフレーミング内に入っていることを確認することができたり、端にいる人が手をかざしてフレーミング枠を確認することができるので撮影の失敗がかなり低減される。
【００３８】
【発明の効果】
以上、説明したように、本発明のカメラによれば、被写体側の人達および撮影者と被写体側の人達以外の第３者が撮影位置を確認することができるデジタルカメラを提供することができる。
【図面の簡単な説明】
【図１】本発明の実施形態を示すカメラの外観図である。
【図２】図１のカメラの内部構成を示す図である。
【図３】図は投射部の内部構成を示す図である。
【図４】図は処理の手順を示したフローチャートである。
【図５】本実施形態のカメラで自己撮影を行なった場合の例を示した図である。
【符号の説明】
１００　　カメラ
１０１　　レリーズ釦
１０２　　電源スイッチ
１０３　　レンズ鏡胴
１０４　　ファインダ
１０５　　投射窓
１０６　　投射スイッチ
１０６ａ　　投射スイッチ部
１１０　　レーザポインタ
１１１　　レーザ光源
１１２Ｘ　　第１のミラー
１１２Ｙ　　第２のミラー
１１３　　投射用ミラー
１１４　　ガイド
１１５Ｘ　１１５Ｙ　バイモルフ
１１６　　電源部
１１７　　偏向電圧発振部
１１８Ｘ　１１８Ｙ　増幅部
１２０　　ＣＰＵ
１２１　　撮影レンズ位置検出部
１２２　　ズーム倍率検出部
１２３　　フレームサイズ算出部
１２４　　レリーズ位置検出部
１２５　　セルフタイマ
２００　　壁面
２００ａ　　フレーミング枠
３００　　椅子
【図１】
2004125867.tif 000003
【図２】
2004125867.tif 000004
【図３】
2004125867.tif 000005
【図４】
2004125867.tif 000006
【図５】
2004125867.tif 000007